(57)【要約】【課題】室外機の正面の任意の向きに広範囲に空気を吹き付けることができるようにして、洗濯物を効果的に乾燥させることができるようにする。【解決手段】空気吹出口１１ａが形成された前面パネル１１及び空気吸込口１２ａが形成された背面パネル１２を有する筐体１０と、筐体１０の空気吹出口１１ａと空気吸込口１２ａの間に設けられる熱交換器４０及び送風ファン５０とを備えた空気調和機の室外機において、空気吹出口１１ａに、空気吹出口１１ａから吹き出される空気の吹出方向をスイングさせる風向調整装置２０を取り付けた。【選択図】図１
2017166787.tif 000002
【特許請求の範囲】
【請求項１】
空気吹出口が形成された前面パネル及び空気吸込口が形成された背面パネルを有する筐体と、前記筐体の内部に配置される熱交換器及び送風ファンとを備えた空気調和機の室外機において、
前記空気吹出口に、前記空気吹出口から吹き出される空気の吹出方向をスイングさせる風向調整装置を取り付けたことを特徴とする空気調和機の室外機。
【請求項２】
請求項１に記載の空気調和機の室外機において、
前記風向調整装置は、前記空気吹出口の周囲に取り付けられる枠体と、モータ駆動により送風方向を第１の方向と第２の方向に交互に繰り返して変更するよう前記枠体の内側に並列配置された複数の第１風向板とを備えることを特徴とする空気調和機の室外機。
【請求項３】
請求項２に記載の空気調和機の室外機において、
前記風向調整装置は、前記第１風向板と直交するように前記枠体の内側に並列配置された複数の第２風向板をさらに備えることを特徴とする空気調和機の室外機。
【請求項４】
請求項３に記載の空気調和機の室外機において、
前記第１風向板が前記枠体内の前記空気吹出口への取付側に配置され、前記第２風向板が手動調整可能なように前記枠体内の前記空気吹出口と反対側に配置されていることを特徴とする空気調和機の室外機。
【請求項５】
請求項２乃至４のいずれか１つに記載の空気調和機の室外機において、
前記枠体が、前記空気吹出口に取り付ける向きを９０度変更可能になように正方形に形成されていることを特徴とする空気調和機の室外機。
【発明の詳細な説明】
【技術分野】
【０００１】
本発明は、吹出空気を利用して洗濯物の乾燥を行うことができるようにした空気調和機の室外機に関する。
【背景技術】
【０００２】
室内機に接続される空気調和機の室外機では、送風ファンによって空気吸込口から吸い込まれ熱交換器を通過した空気は、空気吹出口から外部に吹き出される。そこで従来では、空気吹出口から吹き出される空気を有効利用すべく、室外機の空気吹出口の近傍に吊下げ手段を設け、その吊下げ手段に洗濯物を吊下げて乾燥させる提案がなされている（特許文献１）。
【０００３】
一方、室外機からは通常では前方方向に吹出空気が吹き出されるので、そこを通過する人や近くに置かれている鉢植えの植物等に吹出空気が当たらないように、その吹出空気を上方向にガイドする風向板を取り付けたものがある。そこで、その風向板によって上方向に吹き出される空気で洗濯物を乾燥させることも考えられる。
【先行技術文献】
【特許文献】
【０００４】
【特許文献１】特開２００１−０９０９８３号公報
【発明の概要】
【発明が解決しようとする課題】
【０００５】
しかしながら、特許文献１に記載のものは、室外機の空気吹出口から吹き出される空気は正面方向のみに向かうので、乾燥される洗濯物は室外機の正面に位置するものに限られる。また、室外機から吹き出される吹出空気を上方にガイドする風向板を設ける場合は、室外機の上方に風を向けることはできるが、この場合でもガイドされる風は一定方向であるので、乾燥される洗濯物は室外機の正面上方に位置するものに限られる。
【０００６】
本発明の目的は、室外機の正面の任意の向きに広範囲に空気を吹き付けることができるようにして、洗濯物を効果的に乾燥させることができるようにした空気調和機の室外機を提供することである。
【課題を解決するための手段】
【０００７】
上記目的を達成するために、請求項１にかかる発明は、空気吹出口が形成された前面パネル及び空気吸込口が形成された背面パネルを有する筐体と、前記筐体の内部に配置される熱交換器及び送風ファンとを備えた空気調和機の室外機において、前記空気吹出口に、前記空気吹出口から吹き出される空気の吹出方向をスイングさせる風向調整装置を取り付けたことを特徴とする。
【０００８】
請求項２にかかる発明は、請求項１に記載の空気調和機の室外機において、前記風向調整装置は、前記空気吹出口の周囲に取り付けられる枠体と、モータ駆動により送風方向を第１の方向と第２の方向に交互に繰り返して変更するよう前記枠体の内側に並列配置された複数の第１風向板とを備えることを特徴とする。
【０００９】
請求項３にかかる発明は、請求項２に記載の空気調和機の室外機において、前記風向調整装置は、前記第１風向板と直交するように前記枠体の内側に並列配置された複数の第２風向板をさらに備えることを特徴とする。
【００１０】
請求項４にかかる発明は、請求項３に記載の空気調和機の室外機において、前記第１風向板が前記枠体内の前記空気吹出口への取付側に配置され、前記第２風向板が手動調整可能なように前記枠体内の前記空気吹出口と反対側に配置されていることを特徴とする。
【００１１】
請求項５にかかる発明は、請求項２乃至４のいずれか１つに記載の空気調和機の室外機において、前記枠体が、前記空気吹出口に取り付ける向きを９０度変更可能になように正方形に形成されていることを特徴とする。
【発明の効果】
【００１２】
請求項１、２にかかる発明によれば、室外機の空気吹出口から吹き出される空気をスイングさせることができるので、室外機の空気吹出口の正面よりも広い範囲に風を送ることができる。また、請求項３にかかる発明によれば、室外機の空気吹出口から吹き出される空気を第１風向板によりスイングさせると同時に、そのスイング方向と直交する方向の風の向きを第２風向板により調整することもできる。また、請求項４にかかる発明によれば第２風向板を外側から手動調整することが容易となる。請求項５にかかる発明によれば、スイングの方向を変更でき、室外機の設置環境に対応できる。以上から、室外機の空気吹出口の前方の任意の向きに広範囲に風を送ることが可能となり、室外機の前方近傍に吊るした洗濯物を効果的に乾燥させ、その乾燥時間を短縮させることができる。
【図面の簡単な説明】
【００１３】
【図１】本発明の一実施例の室外機の正面斜視図である。
【図２】本発明の一実施例の室外機から風向調整装置を取り外した斜視図である。
【図３】本発明の一実施例の室外機の背面斜視図である。
【図４】本発明の一実施例の室外機の概略断面図である。
【図５】本実施例の室外機の風向調整装置の第１風向板の部分説明図である。
【図６】本実施例の室外機の風向調整装置の第２風向板の部分説明図である。
【発明を実施するための形態】
【００１４】
図１乃至図４に本発明の空気調和機の室外機１００を示す。１０は筐体であり、正面パネル１１、背面パネル１２、左側面パネル１３、右側面パネル１４、天面パネル１５、及び底面パネル１６を備える。１７は取付脚である。そして、正面パネル１１には空気吹出口１１ａと後記する風向調整装置２０を取り付ける４個の取付孔１１ｂが形成され、背面パネル１２には空気吸込口１２ａが形成されている。空気吹出口１１ａの外側にはその空気吹出口１１ａから吹き出される空気の吹出方向を調整する風向調整装置２０が取り付けられている。また、空気吸込口１２ａには保護網３０が取り付けられている。
【００１５】
筐体１０の内部には、空気吹出口１１ａと空気吸込口１２ａとの間に、熱交換器４０とプロペラファンからなる送風ファン５０とが配置されている。なお、図２では筐体１０の空気吹出口１１ａから見える内部構造は図示を省略している。図３では空気吸込口１２ａの側に熱交換器４０が配置され、空気吹出口１１ａの側に送風ファン５０が配置されているが、逆に、空気吸込口１２ａの側に送風ファン５０が配置され、空気吹出口１１ａの側に熱交換器４０が配置される場合もある。なお、筐体１０の内部には圧縮機やその他の装置も配置されるが本発明には直接関係しないので図示していない。
【００１６】
風向調整装置２０は、正方形の枠体２１と、その枠体２１の内側で且つ奥側（空気吹出口１１ａに近い側）に縦姿勢で配置された複数の第１風向板２２と、枠体２１の内側で且つ第１風向板２２よりも前側（空気吹出口１１ａから遠い側）に横姿勢で配置された複数の第２風向板２３を備える。
【００１７】
枠体２１は、奥行きの幅が同じで長さも同じ底板２１ａ、上板２１ｂ、左側板２１ｃ、右側板２１ｄからなる。そして、底板２１ａ、上板２１ｂ、左側板２１ｃ、右側板２１ｄのそれぞれの中央部が、筐体１０の前面パネル１１の空気吹出口１１ａの外側の周囲の４個の取付孔１１ｂに対して取付金具２６とビスＢ１、Ｂ２により取り付けられている。
【００１８】
第１風向板２２は、図４及び図５に示すように、枠体２１の底板２１ａの上面に形成された軸受穴２１ａ１に下軸２２ａが回動可能に挿入され、枠体２１の上板２１ｂの下面に形成された軸受穴２１ｂ１に上軸２２ｂが回動可能に挿入されている。そして、下軸２２ａよりも前方（空気吹出口１１ａから遠い側）に形成されたネジ孔２２ｃにネジ棒２４が螺合されている。このネジ棒２４はすべての第１風向板２２に共通に螺合されており、底板２１ａに設置されたステッピングモータ２５により、回転可能となっている。
【００１９】
したがって、ステッピングモータ２５を一方向に回転させると、ネジ棒２４が一方に回転することで、すべての第１風向板２２が上軸２２ａと下軸２２ｂを支点にして、図４において左右方向の一方に同時に回動する。また、ステッピングモータ２５を他方向に回転させると、ネジ棒２４が他方に回転することで、すべての第１風向板２２が図４において左右方向の他方に同時に回動する。よって、所定時間ごとにステッピングモータ２５の回転方向を切り替えることにより、すべての第１風向板２２を同期させて左右方向にスイングさせることができる。
【００２０】
第２風向板２３は、図６に示すように、枠体２１の左側板２１ｃの内面の軸受穴２１ｃ１に左軸２３ａが回動可能に挿入され、枠体２１の右側板２１ｄの内面の軸受穴２１ｄ１に、右軸２３ｂが回動可能に挿入されている。したがって、第２風向板２３は、軸受孔２１ｃ１と左軸２３ａ、軸受孔２１ｄ１と右軸２３ｂのそれぞれの摩擦力により、外から力を加えなければ同じ姿勢を保つようになっており、手によって上下方向の向きを自在に調整可能となっている。
【００２１】
さて、室外機１００を動作させると、送風ファン５０が回転して空気吸込口１２ａから空気を吸い込み、熱交換器４０で熱交換された空気を空気吹出口１１ａから吹き出すが、ステップモータ２５が所定時間ごとに回転方向を切り替えて回転していると、第１風向板２２が左右への回動を繰り返すので、空気吹出口１１ａから吹き出される風が左右方向にスイングされる。そして、そのスイングされた風は、第２風向板２３によって上下方向の向きが調整されて外部に吹き出される。
【００２２】
したがって、洗濯物を室外機１００の前方の左右に吊るしておけば、室外機１００から吹き出される風をそれらの洗濯物に当てることができる。このとき、洗濯物を左右方向の広い範囲に吊るしておいても、室外機１００から吹き出される風が左右方向にスイングされるので、すべての洗濯物にその風を当てることができる。また、その洗濯物を吊るした高さに応じて、室外機１００の第２風向板２３の上下方向の向きを外側から手動調整することができるので、その調整によってすべての洗濯物に風を当てることができる。
【００２３】
なお、以上説明した実施例の風向調整装置２０は、第１風向板２２が垂直姿勢となり、第２風向板２３が水平姿勢となるように配置した例で説明したが、その風向調整装置２０の枠体２１は正方形であるので、ビスＢ１、Ｂ２、取付金具２６等を一旦取り外してから９０度回転して取り付け直すこともできる。
【００２４】
これにより、第１風向板２２を水平姿勢にし、第２風向板２３を垂直姿勢にすることができるので、室外機１００から吹き出される風を上下方向にスイングさせることができ、室外機１００を天吊りした際に上下方向に複数段吊るした洗濯物の乾燥に好適となる。
【００２５】
また、以上説明した実施例の風向調整装置２０は、第１風向板２２が空気吹出口１１ａに近い側に配置され、第２風向板２３が空気吹出口１１ａから遠い側に配置される例で説明したが、第１風向板２２が空気吹出口１１ａに遠い側に配置され、第２風向板２３が第２風向板２３が空気吹出口１１ａから近い側に配置されるようにしてもよい。
【符号の説明】
【００２６】
１００：室外機
１０：筐体、１１：前面パネル、１１ａ：空気吹出口、１１ｂ：取付孔、１２：背面パネル、１２ａ：空気吸込口、１３：左側面パネル、１４：右側面パネル、１５：天面パネル、１６：底面パネル
２０：風向調整装置、２１：枠体、２１ａ：底板、２１ａ１：軸受穴、２１ｂ：上板、２１ｂ１：軸受穴、２１ｃ：左側板、２１ｃ１：軸受穴、２１ｄ：右側板、２１ｄ１：軸受穴、２２：第１風向板、２２ａ：下軸、２２ｂ：上軸、２２ｃ：ネジ孔、２３：第２風向板、２３ａ：左軸、２３ｂ：右軸、２４：ネジ棒、２５：ステッピングモータ、２６：取付金具
３０：保護網
４０：熱交換器
５０：送風ファン
【図１】
2017166787.tif 000003
【図２】
2017166787.tif 000004
【図３】
2017166787.tif 000005
【図４】
2017166787.tif 000006
【図５】
2017166787.tif 000007
【図６】
2017166787.tif 000008